(57)【要約】【課題】全体の低背化を図ることができるとともに、絶縁ハウジングにおけるケーブル支持部を必要にして十分な強度を具えたものとでき、しかも、相手方コネクタ装置に嵌合接続された状態を適正に維持することができるケーブルコネクタ装置を提供する。【解決手段】絶縁ハウジング１５と複数のコンタクト１６とアウターシェル部材１７とを備え、複数のコンタクトに夫々接続された複数の同軸ケーブル１３を支持するケーブル支持部２１が絶縁ハウジングに設けられて、ケーブル支持部に金属板材により形成されたインナーシェル部材１８が配され、アウターシェル部材が、絶縁ハウジングを部分的に覆うカバー部２５及び絶縁ハウジングの周囲に沿って伸びて相手方コネクタ装置に弾性係合する帯状部を含んで形成され、カバー部から伸びる連結部がインナーシェル部材に接続される。【選択図】図１５
2019197685.tif 000002
【特許請求の範囲】
【請求項１】
回路基板の部品搭載面に固定された相手方コネクタ装置が備える相手方絶縁ハウジングとの嵌合状態をとる絶縁ハウジングと、各々がケーブルに接続されるとともに上記相手方コネクタ装置が備える相手方コンタクトに接触接続されるものとされて上記絶縁ハウジングに配列配置される複数のコンタクトと、上記絶縁ハウジングに取り付けられて該絶縁ハウジングを部分的に覆うアウターシェル部材と、を備えて構成され、
上記絶縁ハウジングが、上記複数のコンタクトに夫々接続された複数のケーブルを支持するケーブル支持部が設けられ、該ケーブル支持部に金属板材により形成されたインナーシェル部材が配されたものとされ、
上記アウターシェル部材が、上記絶縁ハウジングにおける上記複数のコンタクトが配列配置された部分を覆うカバー部及び該カバー部に連なるものとされたもとで上記絶縁ハウジングの周囲に沿って伸びて上記相手方コネクタ装置に弾性係合する帯状部を含んで形成され、上記カバー部が該カバー部から伸びて上記インナーシェル部材に接続される連結部を有したものとされることを特徴とするケーブルコネクタ装置。
【請求項２】
上記アウターシェル部材が、上記帯状部の端部から屈曲して伸びて自由端部を有した延伸帯状部を含んでおり、上記連結部が、上記延伸帯状部に対する位置規制を行う部位に配されることを特徴とする請求項１記載のケーブルコネクタ装置。
【請求項３】
上記アウターシェル部材における延伸帯状部が、上記絶縁ハウジングに設けられた上記ケーブル支持部を挟んで相互対向するものとして一対設けられており、上記カバー部から上記一対の延伸帯状部に夫々対応する一対の連結部が伸びていることを特徴とする請求項２記載のケーブルコネクタ装置。
【請求項４】
上記連結部が、上記カバー部から上記延伸帯状部の外面部に沿って伸びる規制部分と、該規制部分から屈曲可能に伸びて上記延伸帯状部を覆う覆い部分とを有していて、上記覆い部分が上記規制部分から屈曲せしめられて上記インナーシェル部材に接続されることを特徴とする請求項１または２記載のケーブルコネクタ装置。
【請求項５】
上記絶縁ハウジングに設けられた上記ケーブル支持部が、上記インナーシェル部材が部分的に埋め込まれた第１の部分と、上記インナーシェル部材が部分的に露出する第２の部分とを有しており、上記第１の部分に上記複数のコンタクトにおける上記複数のケーブルが夫々接続される複数の接続部が配され、上記第２の部分が、上記複数のコンタクトの接続部に夫々接続された複数のケーブルを、上記インナーシェル部材における露出した部分によって絶縁部材を介在させることなく支持することを特徴とする請求項１記載のケーブルコネクタ装置。
【請求項６】
上記ケーブル支持部の第１の部分に配された上記複数のコンタクトの接続部が、上記複数のケーブルの中心導体が夫々接続されるものとされ、上記ケーブル支持部の第２の部分が、上記複数のケーブルの外側導体を連結するグラウンドバー部材を介して、上記複数のケーブルを支持することを特徴とする請求項５記載のケーブルコネクタ装置。
【請求項７】
上記ケーブル支持部の第２の部分において露出する上記インナーシェル部材の部分が、上記グラウンドバー部材に固着されることを特徴とする請求項６記載のケーブルコネクタ装置。
【請求項８】
上記複数のケーブルの外側導体を連結するグラウンドバー部材が、上記複数のケーブルの外側導体を挟持して相互対向する一対の部材を成すものとされ、該一対のグラウンドバー部材のうちの一方に上記ケーブル支持部の第２の部分において露出する上記インナーシェル部材の部分が固着され、上記一対のグラウンドバー部材のうちの他方に上記アウターシェル部材における上記カバー部が固着されることを特徴とする請求項７記載のケーブルコネクタ装置。
【発明の詳細な説明】
【技術分野】
【０００１】
本願の特許請求の範囲に記載された発明は、複数の比較的細い同軸ケーブル等のケーブルを、各種の電気部品が取り付けられる回路基板に接続するにあたり、複数のケーブルが接続されたものとされて、回路基板に取り付けられた相手方コネクタ装置に嵌合接続されるケーブルコネクタ装置に関する。
【背景技術】
【０００２】
複数の比較的細い同軸ケーブルを、各種の電気部品が取り付けられる回路基板に接続するにあたっては、複数の同軸ケーブルが接続されるプラグコネクタを成すコネクタ装置と、回路基板の部品搭載面に回路基板との電気的接続がなされて取り付けられ、プラグコネクタを成すコネクタ装置が嵌合接続されるリセプタクルコネクタを成す相手方コネクタ装置と、が用いられることが多い。斯かる際には、プラグコネクタを成すコネクタ装置が、複数の同軸ケーブルとの電気的接続がなされて絶縁ハウジングに配列配置される複数のコンタクトを備えたものとされ、また、リセプタクルコネクタを成す相手方コネクタ装置が、各々が回路基板の部品搭載面に設けられた端子部に接続されるもとで相手方絶縁ハウジングに配列配置される複数の相手方コンタクトを備えたものとされる。
【０００３】
そして、プラグコネクタを成すコネクタ装置がリセプタクルコネクタを成す相手方コネクタ装置に嵌合接続されるときには、コネクタ装置の絶縁ハウジングが相手方コネクタ装置の相手方絶縁ハウジングとの嵌合状態をとるものとされ、それに伴って、コネクタ装置の複数のコンタクトが相手方コネクタ装置の複数の相手方コンタクトに夫々接触接続される。それにより、コネクタ装置に接続された複数の同軸ケーブルが、複数のコンタクト及び複数の相手方コンタクトを介して、部品搭載面に相手方コネクタ装置が取り付けられた回路基板に電気的に接続される。
【０００４】
このようなプラグコネクタを成すコネクタ装置及びリセプタクルコネクタを成す相手方コネクタ装置のうちのプラグコネクタを成すコネクタ装置にあっては、両コネクタ装置を含む全体の小型化に伴い、相手方コネクタ装置に嵌合接続された状態がとられたもとで、相手方コネクタ装置が取り付けられた回路基板の部品搭載面に直交する方向の寸法、即ち、回路基板の部品搭載面上における厚み寸法を低減することになる低背化が求められる。それゆえ、従来にあっては、プラグコネクタを成すコネクタ装置であって、その構成上の工夫を施すことにより低背化を図ったものが幾つか提案されている（例えば、特許文献１参照。）。
【０００５】
特許文献１に示されるコネクタ装置（同軸コネクタ(10)) にあっては、合成樹脂等の絶縁材をもって構成された絶縁ハウジング（ハウジング(5))に、各々が、同軸ケーブル(1) の中心導体（内部導体(11)) が接続される接続部（接続片(31)) と、相手方コネクタ装置（相手方コネクタ(4) のコンタクト（信号側端子(42)) に接触接続される接触部（接触片(32)) と、接続部と接触部とを相互連結する第１の連結部（第１連結片(33)) 及び第２の連結部（第２連結片(34)) とを有するものとされた、複数のコンタクト（端子(3))が配列配置されるとともに、各々の中心導体がコンタクトの接続部に接続された複数の同軸ケーブルを支持するケーブル支持部（特許文献１の図１において同軸ケーブル(1) の下方に配された板状部分）が板状体を成すものとして設けられている。斯かるもとで、複数のコンタクトの夫々が、接続部がケーブル支持部の一部に配されて、接続部と第２の連結部とがケーブル支持部に沿う方向に伸び、さらに、接触部が第２の連結部からケーブル支持部に沿う方向に直交する方向に伸びるとともに、第１の連結部が接続部からケーブル支持部に沿う方向に直交する方向に接触部とは逆向きに伸びて第２の連結部に連なっていて、接続部と第２の連結部との間にケーブル支持部に沿う方向に直交する方向の段差を形成するものとされている。そして、このようにして複数のコンタクトの夫々が形成する段差は、コネクタ装置（同軸コネクタ(10)) が相手方コネクタ装置との嵌合状態におかれたときには、同軸ケーブル(1) の中心導体（内部導体(11)) に接続される接続部の位置を、相手方コネクタ装置が装着された回路基板の部品搭載面に近付けることになり、それゆえ、コネクタ装置（同軸コネクタ(10)) の低背化に寄与するものとなる。
【先行技術文献】
【特許文献】
【０００６】
【特許文献１】特開２００４−２５９６７２号公報
【発明の概要】
【発明が解決しようとする課題】
【０００７】
上述のような、従来提案されているケーブル支持部が設けられた絶縁ハウジングを備えたコネクタ装置（同軸コネクタ(10)) にあっては、次のような不都合が見られる。
【０００８】
特許文献１に示されるコネクタ装置（同軸コネクタ(10)) が備える絶縁ハウジングに設けられたケーブル支持部は、絶縁ハウジングの一部であるゆえ、合成樹脂等の絶縁材をもって形成された板状体を成すものであって、各々の中心導体がコンタクトの接続部に接続された複数の同軸ケーブルを、コネクタ装置（同軸コネクタ(10)) が相手方コネクタ装置との嵌合状態におかれたとき相手方コネクタ装置が装着された回路基板側となる部位において支持する。斯かるもとで、板状体を成すケーブル支持部は、複数のコンタクトの夫々が接続部と第２の連結部との間にケーブル支持部に沿う方向に直交する方向の段差を形成することによりもたらされるコネクタ装置（同軸コネクタ(10)) の低背化を損なうことがないように、その肉厚（板厚）が比較的小なるものとされざるを得ない。従って、合成樹脂等の絶縁材をもって形成された板状体を成すもとで肉厚（板厚）が比較的小なるものとされるケーブル支持部は、その強度が不足していて、絶縁ハウジングに加えられる外力により変形あるいは破損等を容易に生じ、その結果、複数の同軸ケーブルを安定かつ適正に支持することができないことになってしまう虞がある。
【０００９】
斯かる点に鑑み、本願の特許請求の範囲に記載された発明は、複数のケーブルが夫々接続される複数のコンタクトが配されるとともに複数のケーブルを支持するケーブル支持部が設けられた絶縁ハウジングを備えていて、複数の比較的細い同軸ケーブル等のケーブルを各種の電気部品が取り付けられる回路基板に接続するために、複数のケーブルを伴ったもとで回路基板の部品搭載面に固定された相手方コネクタ装置との嵌合接続状態におかれるものとされたもとにおいて、絶縁ハウジングを含めた全体の低背化を図ることができるとともに、絶縁ハウジングにおけるケーブル支持部を必要にして十分な強度を具えたものとすることができ、しかも、全体の低背化が図られたもとにおいても、相手方コネクタ装置に嵌合接続された状態を適正に維持することができるケーブルコネクタ装置を提供する。
【課題を解決するための手段】
【００１０】
本願の特許請求の範囲における請求項１から請求項８までのいずれかに記載された発明（以下、本願発明という。）に係るケーブルコネクタ装置は、回路基板の部品搭載面に固定された相手方コネクタ装置が備える相手方絶縁ハウジングとの嵌合状態をとる絶縁ハウジングと、各々がケーブルに接続されるとともに相手方コネクタ装置が備える相手方コンタクトに接触接続されるものとされて絶縁ハウジングに配列配置される複数のコンタクトと、絶縁ハウジングに取り付けられて絶縁ハウジングを部分的に覆うアウターシェル部材とを備えて構成され、絶縁ハウジングが、複数のコンタクトに夫々接続された複数のケーブルを支持するケーブル支持部が設けられて、そのケーブル支持部に金属板材により形成されたインナーシェル部材が配されたものとされ、また、アウターシェル部材が、絶縁ハウジングにおける複数のコンタクトが配列配置された部分を覆うカバー部及びカバー部に連なるものとされたもとで絶縁ハウジングの周囲に沿って伸びて相手方コネクタ装置に弾性係合する帯状部を含んで形成され、カバー部が、それから伸びてインナーシェル部材に接続される連結部を有したものとされることを特徴とするものとされる。そして、例えば、アウターシェル部材が、帯状部の端部から屈曲して伸びて自由端部を有した延伸帯状部を含んだものとされ、連結部が、延伸帯状部に対する位置規制を行う部位に配される。
【００１１】
上述のような本願発明に係るケーブルコネクタ装置にあっては、複数のコンタクトが配列配置された絶縁ハウジングに、複数のコンタクトに夫々接続された複数のケーブルを支持するケーブル支持部が設けられていて、そのケーブル支持部が金属板材により形成されたインナーシェル部材が配されたものとされる。ケーブル支持部に配されたインナーシェル部材は、金属板材により形成されていて、ケーブルコネクタ装置の低背化に支障をきたすことなく、ケーブル支持部を補強する役割を果たしている。それにより、ケーブルコネクタ装置の低背化が図られたもとにあっても、複数のコンタクトに夫々接続された複数のケーブルは、インナーシェル部材によって補強されたケーブル支持部によって支持されることになる。
【００１２】
また、絶縁ハウジングに取り付けられて絶縁ハウジングを部分的に覆うアウターシェル部材が、絶縁ハウジングにおける複数のコンタクトが配列配置された部分を覆うカバー部、及び、カバー部に連なるものとされたもとで絶縁ハウジングの周囲に沿って伸びて相手方コネクタ装置に弾性係合する帯状部を含んで形成されている。そして、絶縁ハウジングに配列配置された複数のコンタクトに複数のケーブルが夫々接続されたもとで、回路基板の部品搭載面に固定された相手方コネクタ装置に嵌合接続され、絶縁ハウジングが相手方絶縁ハウジングとの嵌合状態をとって、ケーブルが接続された複数のコンタクトの夫々が、各々が相手方絶縁ハウジングに配列配置されて回路基板に接続された複数のコンタクトのうちの対応するものに接触接続されたものとされる。それにより、ケーブルコネクタ装置の複数のコンタクトに夫々接続された複数のケーブルと相手方コネクタ装置が固定された回路基板とが、ケーブルコネクタ装置及び相手方コネクタ装置を介在させて、電気的に相互連結されたものとされる。
【００１３】
このようにして、本願発明に係るケーブルコネクタ装置が相手方コネクタ装置との嵌合接続状態におかれたもとにあっては、アウターシェル部材におけるカバー部に連なるものとされたもとで絶縁ハウジングの周囲に沿って伸びる帯状部が、相手方コネクタ装置に弾性係合するとともに、例えば、帯状部の端部から屈曲して伸びて自由端部を有した延伸帯状部に対する位置規制を行う部位に配される、カバー部から伸びた連結部が、ケーブル支持部に配されたインナーシェル部材に接続されたものとされる。それにより、アウターシェル部材における、例えば、その端部から延伸帯状部が伸びるものとされた帯状部が相手方コネクタ装置に対する係止作用を果たすものとされ、本願発明に係るケーブルコネクタ装置についての相手方コネクタ装置との嵌合接続状態が適正かつ安定に維持される。
【発明の効果】
【００１４】
本願発明に係るケーブルコネクタ装置においては、複数のコンタクトが配列配置された絶縁ハウジングに、複数のコンタクトに夫々接続された複数のケーブルを支持するケーブル支持部が設けられていて、そのケーブル支持部が金属板材により形成されたインナーシェル部材が配されたものとされている。そして、ケーブル支持部に配されたインナーシェル部材は、金属板材により形成されていて、ケーブルコネクタ装置の低背化に支障をきたすことなく、ケーブル支持部を補強する役割を果たしている。従って、本願発明に係るケーブルコネクタ装置によれば、絶縁ハウジングを含めた全体の低背化を図ることができ、かつ、絶縁ハウジングにおけるケーブル支持部を必要にして十分な強度を具えたものとすることができることになる。
【００１５】
それに加えて、本願発明に係るケーブルコネクタ装置においては、絶縁ハウジングにおける複数のコンタクトが配列配置された部分を覆うカバー部及びカバー部に連結されたもとで絶縁ハウジングの周囲に沿って伸びて相手方コネクタ装置に弾性係合する帯状部を含んで形成されたアウターシェル部材が備えられていて、本願発明に係るケーブルコネクタ装置が相手方コネクタ装置との嵌合接続状態におかれたもとにあっては、帯状部が相手方コネクタ装置に弾性係合するとともに、例えば、帯状部の端部から屈曲して伸びて自由端部を有した延伸帯状部に対する位置規制を行う部位に配された、カバー部から伸びる連結部が、ケーブル支持部に配されたインナーシェル部材に接続されたものとされて、アウターシェル部材における、例えば、その端部から延伸帯状部が伸びるものとされた帯状部が相手方コネクタ装置に対する係止作用を果たすものとされる。その結果、本願発明に係るケーブルコネクタ装置によれば、その全体の低背化が図られたもとにおいても、相手方コネクタ装置に嵌合接続された状態を適正に維持することができることになる。
【図面の簡単な説明】
【００１６】
【図１】本願発明に係るケーブルコネクタ装置の一例を構成するプラグコネクタをそれに接続された複数の同軸ケーブルと共に示すとともに、当該プラグコネクタが嵌合接続される相手方コネクタ装置を構成するリセプタクルコネクタをそれが固定された回路基板と共に示す斜視図である。
【図２】図１に示される複数の同軸ケーブルを伴ったプラグコネクタを示す底面図である。
【図３】図１に示されるプラグコネクタが備える絶縁ハウジングをそれに配されたインナーシェル部材及びそれに配列配置された複数のコンタクトと共に示す斜視図である。
【図４】図３に示される複数のコンタクトに複数の同軸ケーブルが接続され、さらに、複数の同軸ケーブルの外側導体がグラウンドバー部材によって連結された状態を示す斜視図である。
【図５】図３に示される複数のコンタクトに複数の同軸ケーブルが接続された状態を示す底面図である。
【図６】図１に示されるプラグコネクタが備えるアウターシェル部材を単独で示す斜視図である。
【図７】図５に示されるインナーシェル部材が配されるとともに複数の同軸ケーブルが接続された複数のコンタクトが配列配置された絶縁ハウジングに、図６に示されるアウターシェル部材が係合せしめられた状態を示す斜視図である。
【図８】図５に示されるインナーシェル部材が配されるとともに複数の同軸ケーブルが接続された複数のコンタクトが配列配置された絶縁ハウジングに、図６に示されるアウターシェル部材が係合せしめられた状態を示す底面図である。
【図９】図７に示されるアウターシェル部材における連結部が折り曲げられた状態を示す斜視図である。
【図１０】図１に示されるリセプタクルコネクタを示す平面図である。
【図１１】図１に示される複数のケーブルを伴ったプラグコネクタが、図１に示される回路基板を伴ったリセプタクルコネクタに嵌合接続された状態を示す斜視図である。
【図１２】図１に示される複数のケーブルを伴ったプラグコネクタが、図１に示されるリセプタクルコネクタに嵌合接続された状態を示す平面図である。
【図１３】図１に示されるプラグコネクタが図１に示されるリセプタクルコネクタに嵌合接続された状態を示す側面図である。
【図１４】図１に示される複数のケーブルを伴ったプラグコネクタが、図１に示されるリセプタクルコネクタに嵌合接続された状態を示す底面図である。
【図１５】図１３におけるXV−XV線断面を示す断面図である。
【発明を実施するための形態】
【００１７】
本願発明を実施するための形態は、以下に述べられる本願発明に係るケーブルコネクタ装置ついての実施例をもって説明される。
【実施例】
【００１８】
図１は、本願発明に係るケーブルコネクタ装置の一例を構成するプラグコネクタ１１及びプラグコネクタ１１が嵌合接続される相手方コネクタ装置を構成するリセプタクルコネクタ１２を、プラグコネクタ１１に接続された複数の比較的細い同軸ケーブル１３及びリセプタクルコネクタ１２が固定された回路基板１４と共に示す。リセプタクルコネクタ１２は、回路基板１４における図１において上方に向いた部品搭載面１４ａに固定されている。
【００１９】
本願発明に係るケーブルコネクタ装置の一例を構成するプラグコネクタ１１は、複数の同軸ケーブル１３を伴ったプラグコネクタ１１を示す底面図である図２にも示されているように、合成樹脂等の絶縁材料によって形成された絶縁ハウジング１５と、絶縁ハウジング１５に配列配置された、各々が弾性を有した導電性板材により形成された帯状部材を成す複数のコンタクト１６と、絶縁ハウジング１５に取りつけられた、弾性を有した導電性板材に屈曲加工が施されて形成されたアウターシェル部材１７とを備えている。絶縁ハウジング１５には、金属板材により形成されたインナーシェル部材１８が、板状体を成すものとしてインサート成形により部分的に埋め込まれて絶縁ハウジング１５と一体化されて配されており、斯かるインナーシェル部材１８は、プラグコネクタ１１の低背化に支障がきたされない状態をもって絶縁ハウジング１５を補強するものとされている。
【００２０】
図３に示されるように、インナーシェル部材１８を伴った絶縁ハウジング１５には、複数の透孔１９が配列形成された天板状部２０と、インナーシェル部材１８による補強が図られたケーブル支持部２１とが設けられている。絶縁ハウジング１５の一部を成すケーブル支持部２１は、インサート成形により絶縁ハウジング１５と一体化されて配された、金属板材により形成されて板状体を成すインナーシェル部材１８によって、プラグコネクタ１１の低背化に支障をきたすことなく補強されたものとされている。
【００２１】
そして、このような絶縁ハウジング１５に配列配置された複数のコンタクト１６は、各々が同軸ケーブル１３の中心導体１３ａ（後述される図４に示されている。）が接続される接続部１６ａと回路基板１４の部品搭載面１４ａに固定されたリセプタクルコネクタ１２のコンタクト３７（後述される図１０に示されている。）に接触接続される接触部１６ｂとを有したものとされて、インサート成形により絶縁ハウジング１５に部分的に埋め込まれて絶縁ハウジング１５と一体化されている。そして、複数のコンタクト１６の夫々が有する接続部１６ａが、絶縁ハウジング１５に設けられたケーブル支持部２１において絶縁ハウジング１５の外部に露出しており、また、複数のコンタクト１６の夫々が有する接触部１６ｂが、絶縁ハウジング１５に設けられた天板状部２０に形成された透孔１９内に配されている。
【００２２】
図４及び図５に示されるように、図３に示されるインナーシェル部材１８を伴った絶縁ハウジング１５に対して、各々の一端において中心導体１３ａ及び外側導体１３ｂが露出せしめられた複数の同軸ケーブル１３が載置され、複数の同軸ケーブル１３の夫々の中心導体１３ａが絶縁ハウジング１５に設けられたケーブル支持部２１において露出するコンタクト１６の接続部１６ａに配されるとともに、夫々の外側導体１３ｂがケーブル支持部２１を補強するインナーシェル部材１８における露出部分に対応する位置をとるものとされる。コンタクト１６の接続部１６ａに配された同軸ケーブル１３の中心導体１３ａは、例えば、半田付けによってコンタクト１６の接続部１６ａに接続され、また、インナーシェル部材１８における露出部分に対応する位置をとる同軸ケーブル１３の外側導体１３ｂは、相互対向する一対のグラウンドバー部材２２によって挟持されるものとされ、複数の同軸ケーブル１３が夫々有する外側導体１３ｂがグラウンドバー部材２２によって連結された状態におかれる。相互対向する一対のグラウンドバー部材２２のうちの一方には、インナーシェル部材１８における露出部分が、例えば、それに形成された透孔１８ａを通じて半田付けされる。但し、インナーシェル部材１８における露出部分がグラウンドバー部材２２に半田付けされることは必ずしも必要ではなく、当該露出部分がグラウンドバー部材２２に圧接接続されてもよい。
【００２３】
その結果、インナーシェル部材１８によって補強されたケーブル支持部２１が、各々の中心導体１３ａがコンタクト１６の接続部１６ａに接続された複数の同軸ケーブル１３を、それらが夫々有する複数の外側導体１３ｂを連結するグラウンドバー部材２２を介在させ、絶縁部材を介在させることなく支持する状態が得られる。このとき、ケーブル支持部２１は、インナーシェル部材１８によってプラグコネクタ１１の低背化に支障をきたすことなく補強されたものとされているので、絶縁ハウジング１５を含めた全体の低背化を妨げることなく、必要にして十分な強度をもって、複数の同軸ケーブル１３を支持するものとされる。
【００２４】
図１に示されるプラグコネクタ１１が備える絶縁ハウジング１５に取り付けられたアウターシェル部材１７は、図６にも単独で示されているように、絶縁ハウジング１５における複数のコンタクト１６が配列配置された部分である天板状部２０及びインナーシェル部材１８によって補強されたケーブル支持部２１を覆うカバー部２５と、カバー部２５に連結されたもとで絶縁ハウジング１５の周囲に沿って伸びる帯状部２６と、帯状部２６の端部から屈曲して伸びて自由端部を有した延伸帯状部２７とを含んで構成されている。そして、その端部から延伸帯状部２７が伸びるものとされた帯状部２６はバネ部を形成しており、また、カバー部２５からは、延伸帯状部２７に対する延伸帯状部２７の外側からの位置規制を行う部位に配される連結部２８が伸びている。カバー部２５から伸びる連結部２８は、カバー部２５から延伸帯状部２７の外面部に沿って伸びる規制部分２９と規制部分２９から屈曲可能に伸びて延伸帯状部２７を覆う覆い部分３０とを有している。このようなもとで、アウターシェル部材１７における帯状部２６は、プラグコネクタ１１がリセプタクルコネクタ１２に嵌合接続されたとき、リセプタクルコネクタ１２に弾性当接するものとされている。より具体的には、帯状部２６は、その内面部をリセプタクルコネクタ１２の外面部に弾性当接させる。
【００２５】
このようなアウターシェル部材１７は、カバー部２５に連結された帯状部２６がその両端部を所定の間隔を置いて相互対向させる状態をもって絶縁ハウジング１５を部分的に取り囲むものとされた単一部材を形成していて、帯状部２６の両端部から一対の延伸帯状部２７が夫々屈曲して伸びて相互対向するものとされている。そして、カバー部２５からは、一対の延伸帯状部２７に夫々対応する一対の連結部２８が相互対向するものとして伸びている。但し、アウターシェル部材１７は、斯かる図１及び図６に示される例に限られるものではなく、例えば、アウターシェル部材１７が、絶縁ハウジング１５に取り付けられた一対の部材を形成しており、斯かる一対の部材を夫々形成する一対のアウターシェル部材１７の各々の帯状部２６が絶縁ハウジング１５を挟んで相互対向するものとされ、一対のアウターシェル部材１７の各々の延伸帯状部２７が、所定の間隔を置いて相互対向する位置に配されて各々の自由端部を所定の間隔を置いて相互対向させるもとで、カバー部２５から伸びる連結部２８によって外側から位置規制されるものとされてもよい。
【００２６】
図７（斜視図）及び図８（底面図）は、図５に示されるインナーシェル部材１８が配されるとともに複数の同軸ケーブル１３が夫々接続された複数のコンタクト１６が配列配置された絶縁ハウジング１５に、図６に示されるアウターシェル部材１７が係合せしめられた状態を示す。斯かるもとにあっては、アウターシェル部材１７におけるカバー部２５が、絶縁ハウジング１５における複数のコンタクト１６が配列配置された部分である天板状部２０及びインナーシェル部材１８によって補強されたケーブル支持部２１を覆うとともに、カバー部２５に連結された帯状部２６が、絶縁ハウジング１５における天板状部２０の周囲を三方から取り囲み、かつ、帯状部２６の端部から屈曲して伸びる一対の延伸帯状部２７が絶縁ハウジング１５におけるケーブル支持部２１を挟んで相互対向するものとされる。
【００２７】
図７（斜視図）及び図８に示されるように、インナーシェル部材１８が配されるとともに複数の同軸ケーブル１３が夫々接続された複数のコンタクト１６が配列配置された絶縁ハウジング１５にアウターシェル部材１７が係合せしめられた後、図９に示されるように、アウターシェル部材１７におけるカバー部２５から伸びて、延伸帯状部２７に対する延伸帯状部２７の外側からの位置規制を行う部位に配される一対の連結部２８の夫々を構成する覆い部分３０が内側へと屈曲せしめられて、アウターシェル部材１７における一対の延伸帯状部２７の夫々が、連結部２８を構成する規制部分２９によって外側から位置規制されるとともに、連結部２８を構成する覆い部分３０によって覆われるものとされる状態がとられる。斯かる際、内側に屈曲せしめられた覆い部分３０は、絶縁ハウジング１５に設けられたケーブル支持部２１を補強するインナーシェル部材１８における露出部分に、例えば、カシメによって接続される。それにより、アウターシェル部材１７におけるカバー部２５から伸びる一対の連結部２８の夫々が、ケーブル支持部２１を補強するインナーシェル部材１８に接続された状態が得られ、アウターシェル部材１７における一対の延伸帯状部２７の夫々に対する規制部分２９及び覆い部分３０を含んだ連結部２８による位置規制が、より適正かつ確実に行われる。さらに、アウターシェル部材１７におけるカバー部２５が、複数の同軸ケーブル１３の外側導体１３ｂを挟持して相互対向する一対のグラウンドバー部材２２のうちの他方に、例えば、カバー部２５に形成された透孔２５ａを通じて半田付けされる。その結果、図１に示される、複数の同軸ケーブル１３が接続されたプラグコネクタ１１が得られることになる。
【００２８】
上述のようなプラグコネクタ１１が嵌合接続される相手方コネクタ装置を構成するリセプタクルコネクタ１２は、リセプタクルコネクタ１２の平面図である図１０にも示されているように、合成樹脂等の絶縁材料によって形成された絶縁ハウジング３５と各々が絶縁ハウジング３５に、例えば、インサート成形によって取りつけられた一対の保持金具部材３６とを備えている。
【００２９】
絶縁ハウジング３５には、プラグコネクタ１１がリセプタクルコネクタ１２に嵌合接続されたとき、プラグコネクタ１１内に入り込むものとされる突起部３５ａが設けられており、また、各々が弾性を有した導電性板材により形成された帯状部材を成す複数のコンタクト３７が配列配置されている。複数のコンタクト３７の各々は、回路基板１４の部品搭載面１４ａに設けられた端子部に接続される接続部３７ａと複数の同軸ケーブル１３が接続されたプラグコネクタ１１におけるコンタクト１６の接触部１６ｂに接触接続される接触部３７ｂとを有している。複数のコンタクト３７が夫々有する複数の接続部３７ａは、絶縁ハウジング３５からその外部へと突出しており、それらの各々が回路基板１４の部品搭載面１４ａに設けられた端子部に、例えば、半田付けによって接続される。また、複数のコンタクト３７が夫々有する複数の接触部３７ｂは、絶縁ハウジング３５に設けられた突起部３５ａの内側壁面及び天頂面に沿うものとして配されている。
【００３０】
一対の保持金具部材３６は、絶縁ハウジング３５に配列配置された複数のコンタクト３７の配列方向において絶縁ハウジング３５を挟んで相互対向するものとして配されている。そして、一対の保持金具部材３６の夫々は、絶縁ハウジング３５に沿って伸びる帯状体を成す本体部３８と本体部３８から突出して回路基板１４の部品搭載面１４ａに固着される複数の固定部３９とを有している。本体部３８は、プラグコネクタ１１がリセプタクルコネクタ１２に嵌合接続されたとき、その外面部にプラグコネクタ１１のアウターシェル部材１７における帯状部２６の内面部が弾性当接するものとされている。また、複数の固定部３９の夫々は、例えば、半田付けによって回路基板１４の部品搭載面１４ａに固着され、それにより、リセプタクルコネクタ１２が回路基板１４の部品搭載面１４ａに固定されることになるものとされている。
【００３１】
このようなもとで、本願発明に係るケーブルコネクタ装置の一例を構成するプラグコネクタ１１が、それに対する相手方コネクタ装置を構成するリセプタクルコネクタ１２に嵌合接続される。
【００３２】
その際には、図１１（斜視図），図１２（回路基板１４の図示が省略された平面図），図１３（回路基板１４の図示が省略された側面図），図１４（回路基板１４の図示が省略された底面図）、及び、図１３におけるXV−XV線断面をあらわす図１５に示されるように、プラグコネクタ１１に複数の同軸ケーブル１３が接続されたもとで、プラグコネクタ１１の絶縁ハウジング１５が、その内部にリセプタクルコネクタ１２の絶縁ハウジング３５に設けられた突起部３５ａを受け入れる状態もって、リセプタクルコネクタ１２の絶縁ハウジング３５との嵌合状態をとる。それにより、複数の同軸ケーブル１３を伴ったプラグコネクタ１１が回路基板１４を伴ったリセプタクルコネクタ１２との嵌合接続状態におかれる。
【００３３】
このとき、図１５に示されるように、プラグコネクタ１１の絶縁ハウジング１５に配列配置された複数のコンタクト１６の夫々における接触部１６ｂが、リセプタクルコネクタ１２の絶縁ハウジング３５に配列配置された複数のコンタクト３７の夫々における、突起部３５ａの内側壁面及び天頂面に沿うものとして配された接触部３７ｂに当接して接触接続され、それにより、プラグコネクタ１１における複数のコンタクト１６がリセプタクルコネクタ１２における複数のコンタクト３７に夫々接触接続された状態が得られる。その結果、複数のコンタクト１６における接続部１６ａに夫々接続された複数の同軸ケーブル１３の中心導体１３ａが、複数のコンタクト１６及び複数のコンタクト３７を介して、複数のコンタクト３７における接続部３７ａが夫々接続された回路基板１４の部品搭載面１４ａに設けられた複数の端子部に夫々連結され、複数の同軸ケーブル１３が回路基板１４に電気的に連結される。
【００３４】
また、プラグコネクタ１１がリセプタクルコネクタ１２との嵌合接続状態におかれたときには、図１１〜図１４に示されるように、プラグコネクタ１１のアウターシェル部材１７における、絶縁ハウジング１５の周囲に沿って伸びる帯状部２６が、その内面部をリセプタクルコネクタ１２の保持金具部材３６における本体部３８の外面部に弾性当接させて、リセプタクルコネクタ１２に対する係止作用を果たすものとされる。斯かるもとにあっては、プラグコネクタ１１のアウターシェル部材１７における、その端部から延伸帯状部２７が伸びるものとされた帯状部２６がバネ部を形成していて、延伸帯状部２７がカバー部２５から伸びる連結部２８による延伸帯状部２７の外側からの位置規制を受けるものとされているので、帯状部２６の内面部がリセプタクルコネクタ１２の保持金具部材３６における本体部３８の外面部に弾性当接する状態は、アウターシェル部材１７における、その端部から延伸帯状部２７が伸びるものとされた帯状部２６が形成するバネ部による弾性押圧力が、帯状部２６の内面部をリセプタクルコネクタ１２の保持金具部材３６における本体部３８の外面部に押し付けるもとでとられることになる。その際、帯状部２６の端部から屈曲して伸びて自由端部を有した延伸帯状部２７が設けられていて、その延伸帯状部２７がカバー部２５から伸びる連結部２８による外側からの位置規制を受けるものとされていることにより、その端部から延伸帯状部２７が伸びるものとされた帯状部２６が構成するバネ部による、帯状部２６の内面部をリセプタクルコネクタ１２の保持金具部材３６における本体部３８の外面部に押し付ける弾性押圧力は、連結部２８による外側からの位置規制を受けるものとされた延伸帯状部２７によって増強されたものとされる。
【００３５】
従って、上述のように構成される絶縁ハウジング１５及びアウターシェル部材１７を備えたプラグコネクタ１１は、複数のコンタクト１６が配列配置された絶縁ハウジング１５に、複数のコンタクト１６に夫々接続された複数の同軸ケーブル１３を支持するケーブル支持部２１が設けられていて、そのケーブル支持部２１にインナーシェル部材１８が配されたものとされている。そして、ケーブル支持部２１に配されたインナーシェル部材１８は、金属板材により形成されて板状対を成すものとされていて、プラグコネクタ１１の低背化に支障をきたすことなく、ケーブル支持部２１を補強する役割を果たしている。従って、プラグコネクタ１１によれば、絶縁ハウジング１５を含めた全体の低背化を図ることができ、かつ、絶縁ハウジング１５におけるケーブル支持部２１を必要にして十分な強度を具えたものとすることができることになる。
【００３６】
それに加えて、プラグコネクタ１１にあっては、その全体の低背化が図られ、それに伴って帯状部２６を含んだアウタ−シェル部材１７が、リセプタクルコネクタ１２が固定された回路基板１４の部品搭載面１４ａに直交する方向の寸法が比較的小とされるもとにあっても、アウターシェル部材１７における帯状部２６が充分な弾性を備えたものとされるとともに、アウターシェル部材１７における帯状部２６の経時変化がもたらす悪影響を受け難いものとされる。その結果、プラグコネクタ１１によれば、その全体の低背化が図られたもとにおいても、リセプタクルコネクタ１２との嵌合接続状態におかれるとき、アウターシェル部材１７における帯状部２６が構成するバネ部による弾性押圧力が、帯状部２６の内面部をリセプタクルコネクタ１２の保持金具部材３６における本体部３８の外面部に押し付ける状態が適正に得られることになり、プラグコネクタ１１がリセプタクルコネクタ１２に嵌合接続された状態を適正に維持することができる。
【産業上の利用可能性】
【００３７】
以上のような本願発明に係るケーブルコネクタ装置は、複数のケーブルが夫々接続される複数のコンタクトが配されるとともに複数のケーブルを支持するケーブル支持部が設けられた絶縁ハウジングを備えていて、複数の比較的細い同軸ケーブル等のケーブルを各種の電気部品が取り付けられる回路基板に接続するために、複数のケーブルを伴ったもとで回路基板の部品搭載面に固定された相手方コネクタ装置との嵌合接続状態におかれるものとされたもとにおいて、絶縁ハウジングを含めた全体の低背化を図ることができるとともに、絶縁ハウジングにおけるケーブル支持部を必要にして十分な強度を具えたものとすることができ、しかも、全体の低背化が図られたもとにおいても、相手方コネクタ装置に嵌合接続された状態を適正に維持することができるものとして、様々な電子機器等に広く適用され得るものである。
【符号の説明】
【００３８】
１1 ・・・プラグコネクタ（ケーブルコネクタ装置），  １２・・・リセプタクルコネクタ（相手方コネクタ装置），  １３・・・同軸ケーブル，  １３ａ・・・中心導体，  １３ｂ・・・外側導体，  １４・・・回路基板，  １４ａ・・・部品搭載面，  １５，３５・・・絶縁ハウジング，  １６，３７・・・コンタクト，  １６ａ，３７ａ・・・接続部，  １６ｂ，３７ｂ・・・接触部，  １７・・・アウターシェル部材，  １８・・・インナーシェル部材，  ２０・・・天板状部，  ２１・・・ケーブル支持部，  ２２・・・グラウンドバー部材，  ２５・・・カバー部，  ２６・・・帯状部，  ２７・・・延伸帯状部，  ２８・・・連結部，  ２９・・・規制部分，  ３０・・・覆い部分，  ３６・・・保持金具部材，  ３８・・・本体部，  ３９・・・固定部
【図１】
2019197685.tif 000003
【図２】
2019197685.tif 000004
【図３】
2019197685.tif 000005
【図４】
2019197685.tif 000006
【図５】
2019197685.tif 000007
【図６】
2019197685.tif 000008
【図７】
2019197685.tif 000009
【図８】
2019197685.tif 000010
【図９】
2019197685.tif 000011
【図１０】
2019197685.tif 000012
【図１１】
2019197685.tif 000013
【図１２】
2019197685.tif 000014
【図１３】
2019197685.tif 000015
【図１４】
2019197685.tif 000016
【図１５】
2019197685.tif 000017